(57)【要約】  【課題】本発明の自動販売機は、災害発生時において照明装置が停止設定であっても、必要に応じて照明装置を動作させる自動販売機に関する。  【解決手段】商品展示部４或は広告部５を照明するための照明装置１３と、ＦＭ電波などにより災害が発生したことを検知する通信災害検知手段１４が設けられており、演算制御部３０ａは前記通信災害検知手段により、災害発生を受信した場合には、照明装置１３が停止している場合でも、照明装置１３を点灯させることで、自動販売機１の設置先が、電灯などがなく非常に暗い設置状況であった場合には、非常灯の役目を行うことができ、周囲に安心感を与えることができる。【選択図】図２
2010170362.tif 000002
【特許請求の範囲】
【請求項１】
商品展示部或は広告部を照明するための照明装置と、ＦＭ電波などにより災害が発生したことを検知する通信災害検知手段とからなる自動販売機において、前記照明装置と前記通信災害検知手段に接続された演算制御部を備え、前記演算制御部は前記通信災害検知手段により、災害発生を受信した場合には、前記照明装置が停止している場合でも、前記照明装置を点灯させることを特徴とする自動販売機。
【請求項２】
災害発生を受信した場合には前記照明装置を点滅動作することを特徴とする請求項１に記載の自動販売機。
【請求項３】
災害発生に前記照明装置を点滅するか、点灯するかを設定する災害時照明装置動作設定手段を備え、前記通信災害検知手段により、災害発生を受信した場合には、前記災害時照明装置動作設定手段の設定に応じて動作することを特徴とする請求項１または２に記載の自動販売機。
【請求項４】
現在時刻を計数するためのタイマーを備え、前記通信災害検知手段により、災害発生を受信した場合には、前記照明装置を点灯もしくは点滅させる時刻であるかを判定し、現在時刻が所定時間帯であれば、前記照明装置を点灯、点滅させることを特徴とする請求項１から３のいずれか一項に記載の自動販売機。
【請求項５】
災害発生時に前記照明装置を点灯もしくは点滅させる時間帯を設定する災害時照明装置動作時間帯設定手段を備え、前記通信災害検知手段により、災害発生を受信した場合には、前記タイマーが前記災害時照明装置動作時間帯設定で設定された時刻であれば、前記照明装置を点灯、点滅させることを特徴とする請求項４に記載の自動販売機。
【請求項６】
前記照明装置を調光動作させるかを設定する調光設定手段を備え、前記通信災害検知手段により、災害発生を受信した場合には、調光設定手段の設定に応じて、前記照明装置を調光動作させることを特徴とする請求項１から５のいずれか一項に記載の自動販売機。
【請求項７】
商用電源の供給が断たれたことにより災害が発生したことを判断する直接災害検知手段と、商用電源の代わりに自動販売機に電源供給を行うバッテリー電源と、前記商用電源からバッテリー電源での電源供給に切り換えるバッテリー電源切換手段を備え、前記直接災害検知手段により災害発生と判断した場合には前記バッテリー電源切換手段により商用電源からバッテリー電源に切り換えることを特徴とする請求項１から６のいずれか一項に記載の自動販売機。
【発明の詳細な説明】
【技術分野】
【０００１】
本発明は、大規模地震などの災害の発生時に、周囲に安心感を与え、災害の発生を報知することができる自動販売機に関する。
【背景技術】
【０００２】
従来の自動販売機の照明制御装置の一般的なものとしては例えば特許文献１に示されているように、現在月日及び時刻を計数するための年間タイマーと、一年間の一定期間毎に照明装置の点灯開始時刻と消灯開始時刻とを記憶した点滅時刻データ記憶部と、照明装置の点滅制御を行う比較制御部とよりなり、予め記憶された照明点灯開始時刻、消灯開始時刻と現在時刻とを比較することによって自動販売機の照明回路を自動点滅する構成とすることにより照明装置による消費電力の低減を図っている。また、特許文献２に示されているように、人体検出器を備え、人体検出器にて人を検出した場合に照明装置を動作させるものや、特許文献３に示されているように、休日設定を備え、休日の場合には照明装置を停止させるものがある。
【０００３】
近年環境への意識が高まり、照明装置の点灯が必要でない限り、屋内設置を中心に、照明装置を終日停止する自動販売機が多くなってきている。
【特許文献１】特開昭６２−７２０９８号公報
【特許文献２】特開平６−３３７９８１号公報
【特許文献３】特開平１１−１４４１３６号公報
【発明の開示】
【発明が解決しようとする課題】
【０００４】
しかしながら、いつ発生するか分からない災害が、夜間に発生した場合や、設置場所が暗い場合などにおいては、従来の自動販売機の照明装置では上述したような消灯機能のため、照明装置を停止している場合、緊急時に周囲の人に不安を与えてしまうという課題を有している。
【０００５】
本発明は、上記課題に対し、災害発生時に照明装置にて周囲に安心感を与えることができる自動販売機を提供することを目的とする。
【課題を解決するための手段】
【０００６】
前記従来の課題を解決するために、本発明の自動販売機は、災害発生時において照明装置が停止設定であっても、必要に応じて照明装置を動作させるものである。
【０００７】
これによって、災害発生時に照明装置にて周囲を明るくしたり、災害を報知することができる。
【発明の効果】
【０００８】
本発明の自動販売機は、照明装置が停止設定であっても、災害発生時には必要に応じて動作させることで、設置場所が暗い場合、夜間などの時間帯に災害が発生した場合には自動販売機の照明装置が暗がりでの目印や照明となり周囲の人に安心感を与えることができる。
【発明を実施するための最良の形態】
【０００９】
請求項１に記載の発明は、商品展示部或は広告部を照明するための照明装置と、ＦＭ電波などにより災害が発生したことを検知する通信災害検知手段とからなる自動販売機において、前記照明装置と前記通信災害検知手段に接続された演算制御部を備え、前記演算制御部は前記通信災害検知手段により、災害発生を受信した場合には、前記照明装置が停止している場合でも、前記照明装置を点灯させるものであり、自動販売機の設置先が、電灯などがなく非常に暗い設置状況であった場合には、非常灯の役目を行うことができ、周囲に安心感を与えることができる。
【００１０】
請求項２に記載の発明は、請求項１に記載の発明において、災害発生を受信した場合には前記照明装置を点滅動作するものであり、周囲の人に災害が発生したことを知らせることができる。
【００１１】
請求項３に記載の発明は、請求項１または２に記載の発明において、災害発生に前記照明装置を点滅するか、点灯するかを設定する災害時照明装置動作設定手段を備え、前記通信災害検知手段により、災害発生を受信した場合には、前記災害時照明装置動作設定手段の設定に応じて動作するものであり、オペレーターが自動販売機の設置場所を判断し、電灯などがない暗い場所には点灯し、前記照明装置を非常灯として役目をし、電灯などが多く、周囲の人に災害を発生したい場合には点滅動作し、周囲の人に災害が発生したことを知らせることができる。
【００１２】
請求項４に記載の発明は、請求項１から３のいずれか一項に記載の発明において、現在時刻を計数するためのタイマーを備え、前記通信災害検知手段により、災害発生を受信した場合には、前記照明装置を点灯もしくは点滅させる時刻であるかを判定し、現在時刻が所定時間帯であれば、前記照明装置を点灯、点滅させるものであり、照明装置の点灯、点滅が必要な時間帯に災害が発生した場合にのみ、前記照明装置を動作させることができ、無駄な消費電力を抑えることができる。
【００１３】
請求項５に記載の発明は、請求項４に記載の発明において、災害発生時に前記照明装置を点灯もしくは点滅させる時間帯を設定する災害時照明装置動作時間帯設定手段を備え、前記通信災害検知手段により、災害発生を受信した場合には、前記タイマーが前記災害時照明装置動作時間帯設定で設定された時刻であれば、前記照明装置を点灯、点滅させるものであり、オペレーターが自動販売機の設置状況などに応じて、災害発生時に前記照明装置を点灯させる時間帯を自由に設定することができ、より自動販売機の設置状況に応じた動作を行うことができ、無駄な消費電力を更に抑えることができる。
【００１４】
請求項６に記載の発明は、請求項１から５のいずれか一項に記載の発明において、前記照明装置を調光動作させるかを設定する調光設定手段を備え、前記通信災害検知手段により、災害発生を受信した場合には、調光設定手段の設定に応じて、前記照明装置を調光動作させるものであり、無駄な消費電力を更に抑えることができる。
【００１５】
請求項７に記載の発明は、請求項１から６のいずれか一項に記載の発明において、商用電源の供給が断たれたことにより災害が発生したことを判断する直接災害検知手段と、商用電源の代わりに自動販売機に電源供給を行うバッテリー電源と、前記商用電源からバッテリー電源での電源供給に切り換えるバッテリー電源切換手段を備え、前記直接災害検知手段により災害発生と判断した場合には前記バッテリー電源切換手段により商用電源からバッテリー電源に切り換えるものであり、商用電源の供給が断たれるような災害が発生した場合においても照明装置を点灯、点滅させることができる。
【００１６】
以下、本発明の実施の形態について、図面を参照しながら説明する。なお、この実施の形態によってこの発明が限定されるものではない。
【００１７】
（実施の形態１）
図１は、本発明の実施の形態における自動販売機の外観を示した斜視図である。図２は、本発明の実施の形態１による自動販売機の機能ブロック図である。図３は、同実施の形態の設定動作を示すフローチャートである。図４は、同実施の形態の災害発生時の動作を示すフローチャートである。
【００１８】
図１において、本発明の実施の形態の自動販売機１は、本体部２前面にメイン扉部３を有している。メイン扉部３に商品展示部４、広告部５、選択部６、硬貨投入口７、硬貨返却スイッチ８、硬貨返却口９、取り出し部１０、取り出し口扉１１を持つ。また、災害発生時に商用電源からの電源が供給されない場合に使用するバッテリー電源１２が本体部２の上面に設けられており、商用電源供給中にバッテリー電源１２に蓄電を行っている。
【００１９】
図２において、照明装置１３は購入者が夜間購入する際、商品展示部或は広告部が見えやすいように点灯する。通信災害検知手段１４はＦＭ電波などにより災害が発生したことを検知する。災害時照明装置動作設定手段１５は災害発生時に照明装置１３を点灯するか点滅するかを設定する。タイマー１６は現在時刻を計数する。災害時照明装置動作時間帯設定手段１７は災害発生時に照明装置１３を点灯させる時間帯を設定する。調光設定手段１８は照明装置１３を調光動作させるかを設定する。直接災害検知手段１９は商用電源の供給が断たれたことにより災害が発生したことを検知する。バッテリー電源切換手段２０は、自動販売機１を稼動するための電源を商用電源からバッテリー電源１２に切換える。演算制御部３０ａは通信災害検知手段１４、直接災害検知手段１９により災害が発生したことを検知し、直接災害検知手段１９により災害が発生したと検知した場合にはバッテリー電源切換手段２０により商用電源からバッテリー電源に切換え、照明装置１３を災害時照明装置動作設定手段１５、災害時照明装置動作時間帯設定手段１７、調光設定手段１８の設定に応じて動作させる。バッテリー電源に切り換えた場合には電力量が限られるため、消費電力が多い冷却装置（図示せず）、加温装置（図示せず）などは停止させてもよい。
【００２０】
図３、図４において、以上のように構成された自動販売機１について、以下その動作を説明する。
【００２１】
演算制御部３０ａは災害時照明装置動作設定手段１５により災害発生時に照明装置１３を点灯させるか、点滅させるかを設定し、記憶させる（ＳＴＥＰ１）。次に災害時照明装置動作時間帯設定手段１７により災害発生時に照明装置１３を動作させる時間帯を１８時〜６時に設定し、記憶させる（ＳＴＥＰ２）。次に災害時調光設定手段１８により照明装置１３を調光するかしないかを設定し、記憶させる（ＳＴＥＰ３）。
【００２２】
次に演算制御部３０ａは直接災害検知手段１９により災害が発生したかを判定し（ＳＴＥＰ４）、災害が発生していると検知された場合にはバッテリー電源切換手段２０により電源供給をバッテリー電源１２に切り換え、ＳＴＥＰ６へ移行する。直接災害検知手段１９により災害が発生していない場合には、次に通信災害検知手段１４により災害が発生したかを判定し（ＳＴＥＰ５）、災害が発生していない場合には照明装置１３を通常動作させる。災害が発生している場合には次にタイマー１６が災害時照明装置動作時間設定手段１７により設定した１８時〜６時の時間帯かどうかを判定し（ＳＴＥＰ６）、時間帯でなければ照明装置１３を通常動作させる。時間帯であれば次に災害字照明装置動作設定手段１７による設定が点滅設定かを判定し（ＳＴＥＰ７）、点滅設定であれば、照明装置１３を点滅動作させる。点滅設定でなければ照明装置１３を点灯動作させる。次に災害時調光設定手段１８による設定が調光設定かを判定し（ＳＴＥＰ８）、調光設定する場合には照明装置１３を調光動作させる。
【００２３】
以上のように本実施の形態１の自動販売機１によれば、通信災害検知手段１４により災害発生を受信した場合、直接災害検知手段１８により災害発生を検知した場合には、照明装置１３が停止している場合でも、照明装置１３を点灯させることで、自動販売機１の設置先が、電灯などがなく非常に暗い設置状況であった場合には、非常灯の役目を行うことができ、周囲に安心感を与えることができる。
【００２４】
また、照明装置１３を点滅動作させることにより、商用電源の供給が断たれず、災害に気付かないような状況の災害が発生した場合においても周囲の人に災害が発生していることを知らせることができる。
【００２５】
また、災害時照明装置動作設定手段１５により、災害発生時に、災害時照明装置動作設定手段の設定に応じて動作させることで、オペレーターが自動販売機１の設置場所を判断し、電灯などがない暗い場所には点灯し、照明装置１３を非常灯としての役目を行い、電灯などが多く、周囲の人に災害を発生したい場合には点滅動作し、周囲の人に災害が発生したことを知らせることができる。
【００２６】
また、現在時刻を計数するためのタイマー１６を備え、災害発生時に、照明装置１３を点灯、点滅させる時刻であるかを判定し、現在時刻が所定時間帯であれば、照明装置を点灯、点滅させることで、照明装置１３の点灯、点滅が必要な時間帯に災害が発生した場合にのみ、照明装置１３を動作させることができ、無駄な消費電力を抑えることができる。
【００２７】
また、災害発生時に照明装置１３を点灯させる時間帯を設定する災害時照明装置動作時間帯設定手段１７を備え、タイマー１６が災害時照明装置動作時間帯設定１７で設定された時刻であれば、照明装置１３を点灯させることで、オペレーターが自動販売機１の設置状況などに応じて、災害発生時に照明装置１３を点灯させる時間帯を自由に設定することができ、より自動販売機１の設置状況に応じた動作を行うことができ、無駄な消費電力を更に抑えることができる。
【００２８】
また、災害発生時に照明装置１３を調光動作させるかを設定する災害時調光設定手段１８を備え、災害発生時には、調光設定手段の設定に応じて、照明装置を調光動作させることで、災害発生時にも調光動作を行うことができ、無駄な消費電力を更に抑えることができる。
【００２９】
また、商用電源の供給が断たれたことにより災害発生したことを判断する直接災害検知手段により災害発生と判断した場合には、バッテリー電源切換手段によりバッテリー電源に切り換えることにより、商用電源の供給が断たれるような災害が発生した場合においても照明装置を点灯、点滅させることができる。
【産業上の利用可能性】
【００３０】
以上のように、本発明にかかる自動販売機は、照明装置が停止設定であっても、災害発生時には自動販売機の設置場所が暗い場合、夜間などの時間帯などの状況に応じて、消費電力を抑えながら、照明装置を動作し、災害が発生したことを周囲に知らせることができ、また非常灯として周囲の人に安心感を与えることができるので、あらゆる自動販売機器に適用することができる。
【図面の簡単な説明】
【００３１】
【図１】本発明の実施の形態における自動販売機の外観を示した斜視図
【図２】本発明による自動販売機の実施の形態１の機能ブロック図
【図３】同実施の形態による自動販売機の動作を示すフローチャート
【図４】同実施の形態による自動販売機の動作を示すフローチャート
【符号の説明】
【００３２】
１    自動販売機
４    商品展示部
５    広告部
１２  バッテリー電源
１３  照明装置
１４  通信災害検知手段
１５  災害時照明装置動作設定手段
１６  タイマー
１７  災害時照明装置動作時間帯設定手段
１８  災害時調光設定手段
１９  直接災害検知手段
２０  バッテリー電源切換手段
３０ａ  演算制御部
【図１】
2010170362.tif 000003
【図２】
2010170362.tif 000004
【図４】
2010170362.tif 000005
【図３】
2010170362.tif 000006